(57)【要約】【課題】メダルの枚数を計数して遊技者に目安として表示するための回胴式遊技機の専用メダル計数装置を新規に提供する。【解決手段】回胴式遊技機用であって、多数枚のメダル１のトータル重量を計量してこれをその全枚数分で割ることによりメダル一枚の重量を求めてメダル基準重量とし、多数個の玉箱２のトータル重量を計量してこれをその全個数分で割ることにより玉箱１個の重量を求めて玉箱基準重量とし、当該玉箱基準重量に基づいて風袋引き量を算出して重量補正量とする構成とされ、且つ秤量面３の上にメダル１入り玉箱２を１個以上まで載置したときにメダル基準重量および玉箱基準量ならびに重量補正量に基づいて載置全玉箱２内のメダルのトータル枚数を計数し、これを表示部に表示する構成とされたものである。【選択図】　　　　図２
2004065764.tif 000002
【特許請求の範囲】
【請求項１】
回胴式遊技機用であって、多数枚のメダル１のトータル重量を計量してこれをその全枚数分で割ることによりメダル一枚の重量を求めてメダル基準重量とし、多数個の玉箱２のトータル重量を計量してこれをその全個数分で割ることにより玉箱１個の重量を求めて玉箱基準重量とし、当該玉箱基準重量に基づいて風袋引き量を算出して重量補正量とする構成とされ、且つ秤量面３の上にメダル１入り玉箱２を１個以上まで載置したときにメダル基準重量および玉箱基準量ならびに重量補正量に基づいて載置全玉箱２内のメダルのトータル枚数を計数し、これを表示部に表示する構成とされて成ることを特徴とする回胴式遊技機用メダル計数装置。
【発明の詳細な説明】
【０００１】
【発明が属する技術分野】
本発明は、メダル（コイン）所謂出玉の数を計数して遊技者に目安として表示するための、スロットマシン、パチスロと称されている回胴式遊技機の専用メダル計数装置に関する。
【０００２】
【従来の技術】
一般に、遊技者はメダルを玉箱に貯めてこれを島のナンバーランプの上にある棚に載せた状態で遊技を続けているが、そのメダルのトータル数までは把握していない。このために遊技を終了するタイミングをややもすると誤ってしまいことになることが往々にあるというような不都合があった。
【０００３】
【発明が解決しようとする課題】
本発明は、上記したような不都合を解消する工夫およびその他の工夫を施した新規の回胴式遊技機用メダル計数装置を提供することを目的とする。
【０００４】
【課題を解決するための手段】
上記目的を達成するために本発明に係る回胴式遊技機用メダル計数装置は、回胴式遊技機用であって、多数枚のメダル１のトータル重量を計量してこれをその全枚数分で割ることによりメダル一枚の重量を求めてメダル基準重量とし、多数個の玉箱２のトータル重量を計量してこれをその全個数分で割ることにより玉箱１個の重量を求めて玉箱基準重量とし、当該玉箱基準重量に基づいて風袋引き量を算出して重量補正量とする構成とされ、且つ秤量面３の上にメダル１入り玉箱２を１個以上まで載置したときにメダル基準重量および玉箱基準量ならびに重量補正量に基づいて載置全玉箱２内のメダルのトータル枚数を計数し、これを表示部に表示する構成とされて成るものである。
【０００５】
【実施例】
図に示す実施例は、多数枚のメダル１のトータル重量を計量してこれをその全枚数分で割ることによりメダル一枚の重量を求めてメダル基準重量とし、また多数個の玉箱２のトータル重量を計量してこれをその全個数分で割ることにより玉箱１個の重量を求めて玉箱基準重量とし、更に当該玉箱基準重量に基づいて風袋引き量を算出して重量補正量とする構成したものであって、秤量面３の上にメダル１入り玉箱２を１個以上まで載置したときにメダル基準重量および玉箱基準量ならびに重量補正量に基づいて載置全玉箱２内のメダルのトータル枚数を計数し、これを表示部に表示するようにしたものである。
【０００６】
このメダル計数装置は、多数枚のメダル１のトータル重量を計量してこれをその全枚数分で割ることにより求めたメダル一枚の重量をメダル基準重量とするメダル基準重量算出手段と、多数個の玉箱２のトータル重量を計量してこれをその全個数分で割ることにより求めた玉箱１個の重量を求めて玉箱基準重量とする玉箱基準重量算出手段と、玉箱基準重量に基づいて風袋引き量を算出して重量補正量とする重量補正量算出手段と、秤量面３の上にメダル１入り玉箱２を１個以上まで載置したときにメダル基準重量および玉箱基準量ならびに重量補正量に基づいて載置全玉箱２内のメダルのトータル枚数を計数するメダル計数手段（いずれの手段も図示せず）等の組み合わせで構成されているものである。
【０００７】
そして、メダル枚数表示部５と玉箱個数表示部６と玉箱個数の表示数を重量補正量として増減するための増スイッチ７および減スイッチ８を薄箱型ケース４の前面にを設け、同薄箱型ケース４の後面に、メダル基準重量を入力するためのメダル基準重量入力スイッチ９と玉箱基準重量を入力するため玉箱基準重量入力スイッチ１０と重量補正量を入力するための重量補正量入力スイッチ１１を設けたものである。
【０００８】
すなわち、上記の通りであるので、店サイドでは先ず例えばナンバーランプの上に設けらている棚の上に載置して来客を待てばよく、また遊技者は増スイッチ７または減スイッチ８を操作して載せる玉箱の個数と玉箱個数表示部６に表示されている数とを一致させる。この一致操作は店サイドで行ってもよい。
【０００９】
このように準備してから遊技者は上記玉箱にメダルを貯め、貯めたメダルの数をメダル枚数表示部５の表示で時折り確認しながら遊技すればよい。
【００１０】
尚、上記のメダル基準重量入力スイッチ９、玉箱基準重量入力スイッチ１０および重量補正量入力スイッチ１１は、店サイドでのみ操作できるようにしてトラブルを防止するようにしてある。
【００１１】
本発明は、メダル基準重量算出手段、玉箱基準重量算出手段、重量補正量算出手段を薄箱型ケースに内蔵した構成でも、しない別の構成で設けることでも実施することができ、また電池を電源とする構成で実施することもできしまたは回胴式遊技機の適宜個所に組み込んだ構成でも実施することができる。
【００１２】
【発明の効果】
本発明に係る回胴式遊技機用メダル計数装置は、上記のような構成であって、次のような著効を奏するものである。
▲１▼　遊技中に表示部を時々見ることによって獲得枚数を現実的に把握できる。
▲２▼　当該把握によって遊技を終了するタイミングを数値的に決定することができる。
▲３▼　このように終了するタイミングを自分の判断で決定することができるので誤りを起こしにくい。
▲４▼　獲得枚数を数値的に把握できないことから生じていた不安を解消できる。
▲５▼　遊技時間の自己管理すなわち遊び過ぎ防止に有効である。
▲６▼　獲得枚数の数値を後続の遊技の高揚に役立てることができる。
▲７▼　表示されている数値で優越感を楽しむことができる。
【図面の簡単な説明】
【図１】本発明の実施例を示す全体の斜視図である。
【図２】同じく正面図である。
【図３】同じく背面図である。
【符号の説明】
１　メダル
２　玉箱
３　秤量面
４　薄箱型ケース
５　メダル枚数表示部
６　玉箱個数表示部
７　増スイッチ
８　減スイッチ
９　基準重量入力スイッチ
１０　玉箱基準重量入力スイッチ
１１　重量補正量入力スイッチ
【図１】
2004065764.tif 000003
【図２】
2004065764.tif 000004
【図３】
2004065764.tif 000005